(57)【要約】【課題】光源の光の利用効率の高い第１端面を備えたガラス板を、効率的に製造することができるガラス板の製造方法及びガラス板を提供する。【解決手段】本発明の実施形態のガラス板１２は、入光側面取り面４０と光出射面２６とが交差する第１交差点Ｐ１と、入光側面取り面４０と傾斜面４８とが交差する第２交差点Ｐ２と、を結ぶ線分Ｌ１が、入光端面２８に対して所定の傾き角度θ１を持った入光側面取り面４０を備える。また、ガラス板１２は、第２交差点Ｐ２と、傾斜面４８と入光端面２８とが交差する第３交差点Ｐ３と、を結ぶ線分Ｌ２の入光端面２８に対する傾き角度θ２が、傾き角度θ１よりも小さく、かつ０＜ｔａｎθ２≦０．４を満たす。【選択図】  図４
2018145015.tif 000002
【特許請求の範囲】
【請求項１】
主平面と、前記主平面に対して垂直な第１端面とを有し、前記主平面と前記第１端面との間に、前記主平面に隣接する面取り面と、前記面取り面と前記第１端面との間に配置された傾斜面とが備えられたガラス板の製造方法であって、
前記主平面及び前記第１端面に対して垂直な断面において、前記面取り面と前記主平面とが交差する第１交差点と、前記面取り面と前記傾斜面とが交差する第２交差点と、を結ぶ線分が前記第１端面に対し、傾き角度θ１で傾くように前記面取り面を形成する面取り工程と、
前記第１端面を研磨するとともに、前記主平面及び前記第１端面に対して垂直な断面において、前記第２交差点と、前記傾斜面と前記第１端面とが交差する第３交差点と、を結ぶ線分の前記第１端面に対する傾き角度θ２が、前記傾き角度θ１よりも小さく、かつ０＜ｔａｎθ２≦０．４を満たすように前記傾斜面を形成する研磨工程と、
を有する、ガラス板の製造方法。
【請求項２】
前記研磨工程において、前記第１端面及び前記傾斜面の表面粗さＲａを０．１μｍ以下に研磨する、請求項１に記載のガラス板の製造方法。
【請求項３】
前記面取り工程の後に前記研磨工程を行う、請求項１又は２に記載のガラス板の製造方法。
【請求項４】
前記面取り工程において、前記ガラス板の第２端面であって、前記主平面に対して垂直で前記第１端面とは異なる前記第２端面に面取り面を形成する、請求項１から３のいずれか１項に記載のガラス板の製造方法。
【請求項５】
主平面と、前記主平面に対して垂直な第１端面とを有し、前記主平面と前記第１端面との間に、前記主平面に隣接する面取り面と、前記面取り面と前記第１端面との間に配置された傾斜面とが備えられたガラス板であって、
前記主平面及び前記第１端面に対して垂直な断面において、
前記面取り面と前記主平面とが交差する第１交差点と、前記面取り面と前記傾斜面とが交差する第２交差点と、を結ぶ線分が前記第１端面に対し、傾き角度θ１で傾くように前記面取り面を備え、
前記第２交差点と、前記傾斜面と前記第１端面とが交差する第３交差点と、を結ぶ線分の前記第１端面に対する傾き角度θ２が、前記傾き角度θ１よりも小さく、かつ０＜ｔａｎθ２≦０．４を満たす、ガラス板。
【請求項６】
前記第１端面及び前記傾斜面の表面粗さＲａが０．１μｍ以下である、請求項５に記載のガラス板。
【請求項７】
前記ガラス板は、５０ｍｍ長での、波長４００〜７００ｎｍにおける平均内部透過率が９０％以上である、請求項５又は６に記載のガラス板。
【請求項８】
前記第１端面に沿って延長された第１延長線と、前記第２交差点から前記主平面と平行に延長された第２延長線とが交差する点を第４交差点とし、
前記第３交差点から前記第４交差点までの長さＷが０．０５〜０．４ｍｍであり、
前記第２交差点から前記第４交差点までの長さＤが０．００５〜０．０５ｍｍである、請求項５から７のいずれか１項に記載のガラス板。
【請求項９】
前記面取り面の表面粗さＲａが前記傾斜面の表面粗さＲａよりも大きい、請求項５から８のいずれか１項に記載のガラス板。
【請求項１０】
前記主平面に対して垂直で前記第１端面とは異なる第２端面を有し、
前記第２端面の表面粗さＲａが前記第１端面の表面粗さＲａよりも大きい、請求項５から９のいずれか１項に記載のガラス板。
【発明の詳細な説明】
【技術分野】
【０００１】
本発明は、ガラス板の製造方法及びガラス板に関する。
【背景技術】
【０００２】
液晶テレビ、デジタルサイネージ等に代表される液晶表示装置は、バックライトを構成する面状発光装置と、面状発光装置の光出射面に対向して配置される液晶パネルとを備える。面状発光装置は直下型とエッジライト型とがあるが、光源の小型化を図ることができるエッジライト型が多用されている。エッジライト型の面状発光装置は、光源、導光板、反射シート、及び各種光学シート（拡散シート・輝度向上シート等）等を有している。内部透過率が高く、強度も高く、かつ耐熱性にも優れたガラス板を、面状発光装置の導光板として用いることが特許文献１、２に開示されている。
【０００３】
ガラス板は、導光板として用いられるアクリル板よりも剛性が高く、耐熱性にも優れるが、ガラス板を切断したままの状態にしておくと、エッジが鋭利で危険な上に、ガラス板の強度低下につながるおそれがある。このため、エッジを面取りする面取り加工が行われる。これにより、ガラス板のエッジには、ガラス板の主平面及び端面に対して傾斜した面取り面が備えられる。面取り面の形状は、特許文献３に開示の如く、ガラス板の主平面及び端面に対し垂直な断面において、主平面及び端面に対する傾き角度が４５°である形状や、それを研磨して丸めたような形状のものが一般的である。なお、これらの形状はＪＩＳ  Ｂ  ０００１（２０１０）におけるＣ面取りおよびＲ面取りに相当する。
【先行技術文献】
【特許文献】
【０００４】
【特許文献１】特開２０１３−０９３１９５号公報
【特許文献２】特開２０１３−０３０２７９号公報
【特許文献３】国際公開２０１３／０３１５４７号公報
【発明の概要】
【発明が解決しようとする課題】
【０００５】
本発明は、光源の光の利用効率の高い第１端面を備えたガラス板を、効率的に製造することができるガラス板の製造方法及びガラス板を提供することを目的とする。
【課題を解決するための手段】
【０００６】
本発明のある態様によれば、主平面と、主平面に対して垂直な第１端面とを有し、主平面と第１端面との間に、主平面に隣接する面取り面と、面取り面と第１端面との間に配置された傾斜面とが備えられたガラス板の製造方法であって、主平面及び第１端面に対して垂直な断面において、面取り面と主平面とが交差する第１交差点と、面取り面と傾斜面とが交差する第２交差点と、を結ぶ線分が第１端面に対し、傾き角度θ１で傾くように面取り面を形成する面取り工程と、第１端面を研磨するとともに、主平面及び第１端面に対して垂直な断面において、第２交差点と、傾斜面と第１端面とが交差する第３交差点と、を結ぶ線分の第１端面に対する傾き角度θ２が、前記傾き角度θ１よりも小さく、かつ０＜ｔａｎθ２≦０．４を満たすように傾斜面を形成する研磨工程と、を有する、ガラス板の製造方法を提供する。本発明の一態様によれば、光源の光の利用効率の高い第１端面を備えたガラス板を、効率的に製造することができる。
【０００７】
本発明の別の態様によれば、主平面と、主平面に対して垂直な第１端面とを有し、主平面と第１端面との間に、主平面に隣接する面取り面と、面取り面と第１端面との間に配置された傾斜面とが備えられたガラス板であって、主平面及び第１端面に対して垂直な断面において、面取り面と主平面とが交差する第１交差点と、面取り面と傾斜面とが交差する第２交差点と、を結ぶ線分が第１端面に対し、傾き角度θ１で傾くように面取り面を備え、第２交差点と、傾斜面と第１端面とが交差する第３交差点と、を結ぶ線分の第１端面に対する傾き角度θ２が、前記傾き角度θ１よりも小さく、かつ０＜ｔａｎθ２≦０．４を満たす、ガラス板を提供する。本発明の一態様によれば、傾斜面を備えたガラス板であっても、光源の光の利用効率の高い第１端面を備えたガラス板を提供することができる。
【発明の効果】
【０００８】
本発明によれば、例えば面状発光装置の導光板として用いるためのガラス板を、効率的に製造することができる。また、該ガラス板の光源の光の利用効率を高めることができる。
【図面の簡単な説明】
【０００９】
【図１】液晶表示装置の概略構成を示した液晶表示装置の側面図
【図２】ガラス板の平面図
【図３】ガラス板の全体斜視図
【図４】ガラス板の断面拡大図（一部を省略した。）
【図５】実施形態であるガラス板の製造方法の工程図
【図６】ガラス板のガラス素材の平面図
【図７】ガラス素材が切り出されたガラス基材の平面図
【図８】異なる実施形態であるガラス板の製造方法の工程図
【図９】入光側面取り面および傾斜面の形状が円弧状のガラス板の要部拡大断面図
【図１０】厚さが１．７ｍｍのガラス板の入光端面に光を照射した要部拡大説明図
【図１１】基準のガラス板の導波光の光量に対する実施形態のガラス板の導波光の光量の相対値を示した図
【発明を実施するための形態】
【００１０】
次に、添付図面を参照しながら、本発明の好ましい実施形態について説明する。
【００１１】
なお、図面中の記載において、同一又は対応する部材又は部品には、同一又は対応する符号を付すことにより、重複する説明を省略する。また、図面は、特に指定しない限り、部材又は部品間の相対比を示すことを目的としない。よって、具体的な寸法は、以下の限定的でない実施形態に照らし、当業者により決定することができる。
【００１２】
〔液晶表示装置１０〕
図１は、液晶表示装置１０の概略構成を示した液晶表示装置１０の側面図である。図２は、液晶表示装置１０に組み込まれた実施形態のガラス板１２の平面図である。
【００１３】
図１の如く、液晶表示装置１０は、ガラス板１２を有する面状発光装置１４と、液晶パネル１６とを備えて構成される。液晶表示装置１０は、例えば液晶テレビ、デジタルサイネージ等の薄型化が図られた電子機器に搭載される。
【００１４】
〈液晶パネル１６〉
液晶パネル１６は、厚さ方向の中央に配設される液晶層を挟むように配向層、透明電極、ガラス基板及び偏光フィルターが積層されて構成される。また、液晶層の片面には、カラーフィルターが配設されている。液晶層の分子は、透明電極に駆動電圧を印加することにより配光軸周りに回転し、これにより所定の表示を行う。
【００１５】
〈面状発光装置１４〉
面状発光装置１４としては、薄型化を図るためエッジライト型が採用されている。面状発光装置１４は、光源１８、ガラス板１２、反射シート２０、各種光学シート（拡散シート・輝度向上シート等）２２、及び反射ドット２４Ａ〜２４Ｃを有している。
【００１６】
光源１８からガラス板１２の内部に入射した光は、図１の矢印で示すように、ガラス板１２の光出射面２６の内面、及び光反射面３２の内面にて繰り返し全反射されながら進行する。また、反射ドット２４Ａ〜２４Ｃ及び反射シート２０によって進行方向を変えた光が、ガラス板１２の液晶パネル１６と対向した光出射面２６から外部に出射される。外部に出射された光は、各種光学シート（拡散シート・輝度向上シート等で構成され、単一であっても複数であってもよい。）２２によって拡散された後、液晶パネル１６に入射する。
【００１７】
光源１８は、特に限定されるものではないが、ＬＥＤ（Light Emitting Diode）、熱陰極管、又は冷陰極管を用いることができる。光源１８は、ガラス板１２の入光端面（第１端面）２８と対向する位置に配置される。
【００１８】
また、光源１８の背面側にリフレクタ３０が設けられることによって、光源１８から放射状に発射される光のガラス板１２への入射効率が高められている。
【００１９】
反射シート２０は、アクリル樹脂等の樹脂シートの表面に光反射部材を被膜することにより構成される。反射シート２０は、ガラス板１２の光反射面３２に対向するように配設される。加えて、反射シート２０は、非入光端面３４、３６、３８（図２参照）に配設されてもよい。反射シート２０は、いずれも、ガラス板１２から空間を空けて配設してもよいし、ガラス板１２に粘着剤によって貼合してもよい。光反射面３２とは、ガラス板１２の光出射面２６に対向する主平面である。また、入光端面２８とは、光源１８と対向するガラス板１２の端面である。非入光端面３４、３６、３８とは、入光端面２８を除くガラス板１２の端面である。
【００２０】
なお、反射シート２０を非入光端面に配設する場合は、非入光端面３４、３６、３８のうち、少なくとも入光端面２８に対向する非入光端面３８に配設されればよい。これにより、入光端面２８から入射した光は、ガラス板１２の内部で繰り返し全反射されながら光源から離れる方向へ（図１及び図２における右方向に向けて）進行し、非入光端面３８に到達した際に、反射シート２０によってガラス板１２の内部に再度反射される。また、反射シート２０を非入光端面３４、３６にも配設した場合には、ガラス板１２の内部で散乱した光を、非入光端面３４、３６に到達した際に、反射シート２０によってガラス板１２の内部に再度反射させることができる。これにより、光源１８の光量を有効利用することができる。
【００２１】
反射シート２０を構成する樹脂シートの材質として、アクリル樹脂を例示するが、これに限定されず、例えば、ＰＥＴ樹脂等のポリエステル樹脂、ウレタン樹脂、及びそれらを組み合わせてなる材料等を用いることができる。
【００２２】
反射シート２０を構成する光反射部材としては、例えば、樹脂に気泡や粒子を内包させた膜や、金属蒸着フィルム等を用いることができる。
【００２３】
反射シート２０には粘着層が設けられ、ガラス板１２に貼合されてもよい。反射シート２０に設けられる粘着層としては、例えば、アクリル樹脂、シリコーン樹脂、ウレタン樹脂、合成ゴム等を用いることができる。
【００２４】
反射シート２０の厚さは特に限定されないが、例えば０．０１〜０．５０ｍｍのものを用いることができる。
【００２５】
各種光学シート２２には、乳白色のアクリル樹脂製フィルム等を用いることができる。各種光学シート２２は、ガラス板１２の光出射面２６から出射した光を拡散するため、液晶パネル１６の背面側には輝度ムラのない均一な光が照射される。なお、各種光学シート２２は、ガラス板１２に当接しないよう所定位置に対向して配設される。
【００２６】
〈ガラス板１２の物性〉
ガラス板１２は、透明度の高いガラスによって構成されている。実施形態では、ガラス板１２として用いられるガラスの材料として、多成分系の酸化物ガラスが用いられている。
【００２７】
具体的には、ガラス板１２として、５０ｍｍ長での、波長４００〜７００ｎｍにおける平均内部透過率が９０％以上であるガラスを用いることが好ましい。これにより、ガラス板１２に入射した光の減衰を極力抑えることができる。５０ｍｍ長での透過率は、ガラス板１２を主平面に垂直な方向で割断することにより、当該ガラス板の中心部分から、縦５０ｍｍ×横５０ｍｍの寸法で採取され、相互に対向する第１および第２の割断面が、算術平均粗さＲａ≦０．０３μｍとなるようにされたサンプルＡにおいて、前記第１の割断面から法線方向の５０ｍｍ長で、５０ｍｍ長での測定が可能な分光測定装置（たとえば、ＵＨ４１５０：日立ハイテクノロジーズ社製）によって、スリット等で入射光のビーム幅を板厚よりも狭くしたうえで、測定する。このようにして得られた５０ｍｍ長での透過率から、表面での反射による損失を除去することにより、５０ｍｍ長での内部透過率が得られる。５０ｍｍ長での、波長４００〜７００ｎｍにおける平均内部透過率は、９２％以上が好ましく、９５％以上がより好ましく、９８％以上が更に好ましく、９９％以上が特に好ましい。
【００２８】
ガラス板１２として用いられるガラスの鉄の含有量の総量Ａは、１００質量ｐｐｍ以下であることが、上述した５０ｍｍ長での波長４００〜７００ｎｍにおける平均内部透過率を満たすうえで好ましく、４０質量ｐｐｍ以下であることがより好ましく、２０質量ｐｐｍ以下であることがさらに好ましい。一方、ガラス板１２として用いられるガラスの鉄の含有量の総量Ａは、５質量ｐｐｍ以上であることが、多成分系の酸化物ガラス製造時において、ガラスの熔解性を向上させるうえで好ましく、８質量ｐｐｍ以上であることがより好ましく、１０質量ｐｐｍ以上であることがさらに好ましい。なお、ガラス板１２として用いられるガラスの鉄の含有量の総量Ａは、ガラス製造時に添加する鉄の量により調節できる。
【００２９】
本明細書においては、ガラスの鉄の含有量の総量Ａを、Ｆｅ２Ｏ３の含有量として表しているが、ガラス中に存在する鉄がすべてＦｅ３＋（３価の鉄）として存在しているわけではない。通常、ガラス中にはＦｅ３＋とＦｅ２＋（２価の鉄）が同時に存在している。Ｆｅ２＋およびＦｅ３＋は、波長４００〜７００ｎｍの範囲に吸収が存在するが、Ｆｅ２＋の吸収係数（１１ｃｍ−１  Ｍｏｌ−１）はＦｅ３＋の吸収係数（０．９６ｃｍ−１  Ｍｏｌ−１）よりも１桁大きいため、波長４００〜７００ｎｍにおける内部透過率をより低下させる。そのため、Ｆｅ２＋の含有量が少ないことが、波長４００〜７００ｎｍにおける内部透過率を高めるうえで好ましい。
【００３０】
ガラス板１２として用いられるガラスのＦｅ２＋の含有量Ｂは、２０質量ｐｐｍ以下であることが、有効光路長で上述した可視光域の平均内部透過率を満たすうえで好ましく、１０質量ｐｐｍ以下であることがより好ましく、５質量ｐｐｍ以下であることがさらに好ましい。一方、ガラス板１２として用いられるガラスのＦｅ２＋の含有量Ｂは、０．０１質量ｐｐｍ以上であることが、多成分系の酸化物ガラス製造時において、ガラスの熔解性を向上させるうえで好ましく、０．０５質量ｐｐｍ以上であることがより好ましく、０．１質量ｐｐｍ以上であることがさらに好ましい。
【００３１】
なお、ガラス板１２として用いられるガラスのＦｅ２＋の含有量は、ガラス製造時に添加する酸化剤の量、または溶解温度等により調節できる。ガラス製造時に添加する酸化剤の具体的な種類とそれらの添加量については後述する。Ｆｅ２Ｏ３の含有量Ａは、蛍光Ｘ線測定によって求めた、Ｆｅ２Ｏ３に換算した全鉄の含有量（質量ｐｐｍ）である。Ｆｅ２＋の含有量ＢはＡＳＴＭ  Ｃ１６９−９２に準じて測定した。なお、測定したＦｅ２＋の含有量はＦｅ２Ｏ３に換算して表記した。
【００３２】
ガラス板１２として用いられるガラスの組成の具体例を以下に示す。但し、ガラス板１２として用いられるガラスの組成はこれらに限定されない。
【００３３】
ガラス板１２として用いられるガラスの一構成例（構成例Ａ）は、酸化物基準の質量百分率表示で、ＳｉＯ２を６０〜８０％、Ａｌ２Ｏ３を０〜７％、ＭｇＯを０〜１０％、ＣａＯを０〜２０％、ＳｒＯを０〜１５％、ＢａＯを０〜１５％、Ｎａ２Ｏを３〜２０％、Ｋ２Ｏを０〜１０％、Ｆｅ２Ｏ３を５〜１００質量ｐｐｍ含む。
【００３４】
ガラス板１２として用いられるガラスの別の一構成例（構成例Ｂ）は、酸化物基準の質量百分率表示で、ＳｉＯ２を４５〜８０％、Ａｌ２Ｏ３を７％超３０％以下、Ｂ２Ｏ３を０〜１５％、ＭｇＯを０〜１５％、ＣａＯを０〜６％、ＳｒＯを０〜５％、ＢａＯを０〜５％、Ｎａ２Ｏを７〜２０％、Ｋ２Ｏを０〜１０％、ＺｒＯ２を０〜１０％、Ｆｅ２Ｏ３を５〜１００質量ｐｐｍ含む。
【００３５】
ガラス板１２として用いられるガラスのさらに別の一構成例（構成例Ｃ）は、酸化物基準の質量百分率表示で、ＳｉＯ２を４５〜７０％、Ａｌ２Ｏ３を１０〜３０％、Ｂ２Ｏ３を０〜１５％、ＭｇＯ、ＣａＯ、ＳｒＯおよびＢａＯを合計で５〜３０％、Ｌｉ２Ｏ、Ｎａ２ＯおよびＫ２Ｏを合計で０％以上、３％未満、Ｆｅ２Ｏ３を５〜１００質量ｐｐｍ含む。
【００３６】
しかしながら、ガラス板１２として用いられるガラスはこれらに限定されるものではない。
【００３７】
上記した成分を有する本実施形態のガラス板１２のガラスの組成の各成分の組成範囲について、以下に説明する。なお、各組成の含有量の単位はいずれも酸化物基準の質量百分率表示または質量ｐｐｍ表示であり、それぞれ単に「％」「ｐｐｍ」と表す。
【００３８】
ＳｉＯ２は、ガラスの主成分である。ＳｉＯ２の含有量は、ガラスの耐候性、失透特性を保つため、酸化物基準の質量百分率表示で、構成例Ａにおいては、好ましくは６０％以上、より好ましくは６３％以上であり、構成例Ｂにおいては、好ましくは４５％以上、より好ましくは５０％以上であり、構成例Cにおいては、好ましくは４５％以上、より好ましくは５０％以上である。
【００３９】
一方、ＳｉＯ２の含有量は、溶解を容易にし、泡品質を良好なものとするために、またガラス中の二価鉄（Ｆｅ２＋）の含有量を低く抑え、光学特性を良好なものとするため、構成例Ａにおいては、好ましくは８０％以下、より好ましくは７５％以下であり、構成例Ｂにおいては、好ましくは８０％以下、より好ましくは７０％以下であり、構成例Cにおいては、好ましくは７０％以下、より好ましくは６５％以下である。
【００４０】
Ａｌ２Ｏ３は、構成例Ｂ及びＣにおいてはガラスの耐候性を向上させる必須成分である。本実施形態のガラスにおいて実用上必要な耐候性を維持するためには、Ａｌ２Ｏ３の含有量は、構成例Ａにおいては、好ましくは１％以上、より好ましくは２％以上であり、構成例Ｂにおいては、好ましくは７％超、より好ましくは１０％以上であり、構成例Cにおいては、好ましくは１０％以上、より好ましくは１３％以上である。
【００４１】
但し、二価鉄（Ｆｅ２＋）の含有量を低く抑え、光学特性を良好なものとし、泡品質を良好なものとするため、Ａｌ２Ｏ３の含有量は、構成例Ａにおいては、好ましくは７％以下、より好ましくは５％以下であり、構成例Ｂにおいては、好ましくは３０％以下、より好ましくは２３％以下であり、構成例Cにおいては、好ましくは３０％以下、より好ましくは２０％以下である。
【００４２】
Ｂ２Ｏ３は、ガラス原料の溶融を促進し、機械的特性や耐候性を向上させる成分であるが、揮発による脈理（ｒｅａｍ）の生成、炉壁の侵食等の不都合が生じないために、Ｂ２Ｏ３の含有量は、ガラスＡにおいては、好ましくは５％以下、より好ましくは３％以下であり、構成例Ｂ及びＣにおいては、好ましくは１５％以下、より好ましくは、１２％以下である。
【００４３】
Ｌｉ２Ｏ、Ｎａ２Ｏ、及び、Ｋ２Ｏといったアルカリ金属酸化物は、ガラス原料の溶融を促進し、熱膨張、粘性等を調整するのに有用な成分である。
【００４４】
そのため、Ｎａ２Ｏの含有量は、構成例Ａにおいては、好ましくは３％以上、より好ましくは、８％以上である。Ｎａ２Ｏの含有量は、構成例Ｂにおいては、好ましくは７％以上、より好ましくは、１０％以上である。但し、溶解時の清澄性を保持し、製造されるガラスの泡品質を保つために、Ｎａ２Ｏの含有量は、構成例Ａ及びＢにおいては、２０％以下とするのが好ましく、１５％以下とするのがさらに好ましく、構成例Cにおいては、３％以下とするのが好ましく、１％以下とするのがより好ましい。
【００４５】
また、Ｋ２Ｏの含有量は、構成例Ａ及びＢにおいては、好ましくは１０％以下、より好ましくは、７％以下であり、構成例Cにおいては、好ましくは２％以下、より好ましくは、１％以下である。
【００４６】
また、Ｌｉ２Ｏは、任意成分であるが、ガラス化を容易にし、原料に由来する不純物として含まれる鉄含有量を低く抑え、バッチコストを低く抑えるために、構成例Ａ、Ｂ及びＣにおいて、Ｌｉ２Ｏを２％以下含有させることができる。
【００４７】
また、これらアルカリ金属酸化物の合計含有量（Ｌｉ２Ｏ＋Ｎａ２Ｏ＋Ｋ２Ｏ）は、溶解時の清澄性を保持し、製造されるガラスの泡品質を保つために、構成例Ａ及びＢにおいては、好ましくは５％〜２０％、より好ましくは８％〜１５％であり、構成例Cにおいては、好ましくは０％〜２％、より好ましくは、０％〜１％である。
【００４８】
ＭｇＯ、ＣａＯ、ＳｒＯ、及びＢａＯといったアルカリ土類金属酸化物は、ガラス原料の溶融を促進し、熱膨張、粘性等を調整するのに有用な成分である。
【００４９】
ＭｇＯは、ガラス溶解時の粘性を下げ、溶解を促進する作用がある。また、比重を低減させ、ガラス板に疵をつきにくくする作用があるために、構成例Ａ、Ｂ及びＣにおいて、含有させることができる。また、ガラスの熱膨張係数を低く、失透特性を良好なものとするために、ＭｇＯの含有量は、構成例Ａにおいては、好ましくは１０％以下、より好ましくは８％以下であり、構成例Ｂにおいては、好ましくは１５％以下、より好ましくは１２％以下であり、構成例Cにおいては、好ましくは１０％以下、より好ましくは５％以下である。
【００５０】
ＣａＯは、ガラス原料の溶融を促進し、また粘性、熱膨張等を調整する成分であるので、構成例Ａ、Ｂ及びＣにおいて含有させることができる。上記の作用を得るためには、構成例Ａにおいては、ＣａＯの含有量は、好ましくは３％以上、より好ましくは５％以上である。また、失透を良好にするためには、構成例Ａにおいては、好ましくは２０％以下、より好ましくは１０％以下であり、構成例Ｂにおいては、好ましくは６％以下であり、より好ましくは４％以下である。
【００５１】
ＳｒＯは、熱膨張係数の増大及びガラスの高温粘度を下げる効果がある。かかる効果を得るために、構成例Ａ、Ｂ及びＣにおいて、ＳｒＯを含有させることができる。但し、ガラスの熱膨張係数を低く抑えるため、ＳｒＯの含有量は、構成例Ａ及びＣにおいては、１５％以下とするのが好ましく、１０％以下とするのがより好ましく、構成例Ｂにおいては、５％以下とするのが好ましく、３％以下とするのがより好ましい。
【００５２】
ＢａＯは、ＳｒＯ同様に熱膨張係数の増大及びガラスの高温粘度を下げる効果がある。上記の効果を得るためにＢａＯを含有させることができる。但し、ガラスの熱膨張係数を低く抑えるため、構成例Ａ及びＣにおいては、１５％以下とするのが好ましく、１０％以下とするのがより好ましく、構成例Ｂにおいては、５％以下とするのが好ましく、３％以下とするのがより好ましい。
【００５３】
また、これらアルカリ土類金属酸化物の合計含有量（ＭｇＯ＋ＣａＯ＋ＳｒＯ＋ＢａＯ）は、熱膨張係数を低く抑え、失透特性を良好なものとし、強度を維持するために、構成例Ａにおいては、好ましくは１０％〜３０％、より好ましくは１３％〜２７％であり、構成例Ｂにおいては、好ましくは１％〜１５％、より好ましくは３％〜１０％であり、構成例Cにおいては、好ましくは５％〜３０％、より好ましくは１０％〜２０％である。
【００５４】
本実施形態のガラス板１２のガラスのガラス組成においては、ガラスの耐熱性及び表面硬度の向上のために、任意成分としてＺｒＯ２を、構成例Ａ、Ｂ及びＣにおいて、１０％以下、好ましくは５％以下含有させてもよい。１０％以下とすることでガラスが失透しにくくなる。
【００５５】
本実施形態のガラス板１２のガラスのガラス組成においては、ガラスの熔解性向上のため、Ｆｅ２Ｏ３を、構成例Ａ、Ｂ及びＣにおいて、５〜１００ｐｐｍ含有させてもよい。なお、Ｆｅ２Ｏ３量の好ましい範囲は上述のとおりである。
【００５６】
また、本実施形態のガラス板１２のガラスは、清澄剤としてＳＯ３を含有してもよい。この場合、ＳＯ３含有量は、質量百分率表示で０％超、０．５％以下が好ましい。０．４％以下がより好ましく、０．３％以下がさらに好ましく、０．２５％以下であることがさらに好ましい。
【００５７】
また、本実施形態のガラス板１２のガラスは、酸化剤及び清澄剤としてＳｂ２Ｏ３、ＳｎＯ２及びＡｓ２Ｏ３のうちの一つ以上を含有してもよい。この場合、Ｓｂ２Ｏ３、ＳｎＯ２またはＡｓ２Ｏ３の含有量は、質量百分率表示で０〜０．５％が好ましい。０．２％以下がより好ましく、０．１％以下がさらに好ましく、実質的に含有しないことがさらに好ましい。
【００５８】
ただし、Ｓｂ２Ｏ３、ＳｎＯ２及びＡｓ２Ｏ３は、ガラスの酸化剤として作用するため、ガラスのＦｅ２＋の量を調節する目的により上記範囲内で添加してもよい。ただし、環境面からはＡｓ２Ｏ３を実質的に含有しないことが好ましい。
【００５９】
また、本実施形態のガラス板１２のガラスは、ＮｉＯを含有してもよい。ＮｉＯを含有する場合、ＮｉＯは、着色成分としても機能するので、ＮｉＯの含有量は、上記したガラス組成の合量に対し、１０ｐｐｍ以下とするのが好ましい。特に、ＮｉＯは、波長４００〜７００ｎｍにおけるガラス板の内部透過率を低下させないという観点から、１．０ｐｐｍ以下とするのが好ましく、０．５ｐｐｍ以下とすることがより好ましい。
【００６０】
本実施形態のガラス板１２のガラスは、Ｃｒ２Ｏ３を含有してもよい。Ｃｒ２Ｏ３を含有する場合、Ｃｒ２Ｏ３は、着色成分としても機能するので、Ｃｒ２Ｏ３の含有量は、上記したガラス組成の合量に対し、１０ｐｐｍ以下とするのが好ましい。特に、Ｃｒ２Ｏ３は、波長４００〜７００ｎｍにおけるガラス板の内部透過率を低下させないという観点から、１．０ｐｐｍ以下とするのが好ましく、０．５ｐｐｍ以下とすることがより好ましい。
【００６１】
本実施形態のガラス板１２のガラスは、ＭｎＯ２を含有してもよい。ＭｎＯ２を含有する場合、ＭｎＯ２は、可視光を吸収する成分としても機能するので、ＭｎＯ２の含有量は、上記したガラス組成の合量に対し、５０ｐｐｍ以下とするのが好ましい。特に、ＭｎＯ２は、波長４００〜７００ｎｍにおけるガラス板の内部透過率を低下させないという観点から、１０ｐｐｍ以下とするのが好ましい。
【００６２】
本実施形態のガラス板１２のガラスは、ＴｉＯ２を含んでいてもよい。ＴｉＯ２を含有する場合、ＴｉＯ２は、可視光を吸収する成分としても機能するので、ＴｉＯ２の含有量は、上記したガラス組成の合量に対し、１０００ｐｐｍ以下とするのが好ましい。ＴｉＯ２は、波長４００〜７００ｎｍにおけるガラス板の内部透過率を低下させないという観点から、含有量を５００ｐｐｍ以下とすることがより好ましく、１００ｐｐｍ以下とすることが特に好ましい。
【００６３】
本実施形態のガラス板１２のガラスは、ＣｅＯ２を含んでいてもよい。ＣｅＯ２には鉄のレドックスを下げる効果があり、全鉄量に対するＦｅ２＋量の比率を小さくすることができる。一方で、鉄のレドックスを３％未満に下がることを抑制するためにも、ＣｅＯ２の含有量は、上記したガラス組成の合量に対し、１０００ｐｐｍ以下とするのが好ましい。また、ＣｅＯ２の含有量は、５００ｐｐｍ以下とするのがより好ましく、４００ｐｐｍ以下とするのがさらに好ましく、３００ｐｐｍ以下とするのが特に好ましく、２５０ｐｐｍ以下とするのが最も好ましい。
【００６４】
本実施形態のガラス板１２のガラスは、ＣｏＯ、Ｖ２Ｏ５及びＣｕＯからなる群より選ばれる少なくとも１種の成分を含んでいてもよい。これらの成分を含有する場合、可視光を吸収する成分としても機能するので、前記成分の含有量は、上記したガラス組成の合量に対し、１０ｐｐｍ以下とするのが好ましい。特に、これら成分は、波長４００〜７００ｎｍにおけるガラス板の内部透過率を低下させないように、実質的に含有しないことが好ましい。
【００６５】
〈ガラス板１２の形状〉
図３は、ガラス板１２の全体斜視図であり、図４は、ガラス板１２の断面拡大図である。なお、図４では、主平面と入光端面２８に対して垂直な断面の一部を、拡大して表示している。
【００６６】
平面視矩形状のガラス板１２は、光出射面２６、光反射面３２、入光端面２８、非入光端面３４、３６、３８、入光側面取り面４０、及び非入光側面取り面４２を有している。また、入光端面２８側には、傾斜面４８が備えられている。
【００６７】
ここで、光出射面２６及び光反射面３２が本実施形態の主平面に相当し、入光端面２８が本実施形態の第１端面に相当する。また、非入光端面３４、３６、３８が本実施形態の第２端面に相当する。更に、入光側面取り面４０が本発明の面取り面に相当し、傾斜面４８が本発明の傾斜面に相当する。
【００６８】
光出射面２６は、液晶パネル１６（図１参照）と対向する面である。実施形態では、光出射面２６を平面視において矩形状としたが、光出射面２６の形状はこれに限定されるものではない。また、光出射面２６の大きさは、液晶パネル１６に対応して決定されるため、特に限定されるものではないが、導光板としてガラス板１２を使用する場合には、例えば、５００ｍｍ×５００ｍｍ以上のサイズが好適である。ガラス板１２は高い剛性を有するため、サイズが大きいほどその効果を発揮する。
【００６９】
光反射面３２は、光出射面２６と対向する面である。光反射面３２は、光出射面２６に対して平行となるよう構成されている。また、光反射面３２の形状及びサイズは、光出射面２６と同一となるよう構成されている。
【００７０】
なお、光反射面３２は光出射面２６に対して必ずしも平行とする必要はなく、段差や傾斜を設けた構成としてもよい。また、光反射面３２のサイズも光出射面２６と異なるサイズとしてもよい。
【００７１】
光反射面３２には、複数の円形状の反射ドット２４Ａ、２４Ｂ、２４Ｃが備えられる。反射ドットの配置は、図２の如く碁盤目状であってもよいし、その他の任意のパターンであってもよいし、ランダムであってもよいが、光出射面２６から出射する光の輝度の分布が均一になるよう、適宜調整される。反射ドット２４Ａ〜２４Ｃは、樹脂をドット状に印刷等の方法で形成したものであり、散乱粒子または気泡を含有していてもよい。入光端面２８から入射した光の輝度は強いが、その輝度は、ガラス板１２の内部で繰り返し反射しながら進行するに従い漸次低下していく。
【００７２】
このため実施形態では、入光端面２８から非入光端面３８に向けて、反射ドット２４Ａ、２４Ｂ、２４Ｃの大きさを異ならせている。具体的には、入光端面２８に近い領域における反射ドット２４Ａの直径（ＬＡ）は小さく設定されており、これより光の進行方向に向かうに従い反射ドット２４Ｂの直径（ＬＢ）、及び反射ドット２４Ｃの直径（ＬＣ）が大きくなるよう設定されている（ＬＡ＜ＬＢ＜ＬＣ）。反射ドットの直径は、光出射面２６から出射する光の輝度の分布が均一になるよう、適宜調整される。
【００７３】
このように、反射ドット２４Ａ、２４Ｂ、２４Ｃの大きさをガラス板１２の内部の光の進行方向に向けて変化させることにより、光出射面２６から出射する出射光の輝度を均一化でき、輝度ムラの発生を抑制することができる。なお、反射ドット２４Ａ、２４Ｂ、２４Ｃの大きさに代えて、反射ドット２４Ａ、２４Ｂ、２４Ｃの数密度をガラス板１２の内部の光の進行方向に向けて変化させることによっても、同等の効果を得ることができる。また、反射ドット２４Ａ、２４Ｂ、２４Ｃに代えて、入射した光を反射するような溝を光反射面３２に形成することによっても、同等の効果を得ることができる。
【００７４】
ガラス板１２の非入光端面３４、３６、３８は、光源１８からの光は入光されないため、その表面を入光端面２８ほどに高精度に加工する必要はなく、その表面粗さＲａは、０．８μｍ以下であればよい。ただし、端面で光が散乱されて輝度ムラが生じるのを抑制するために、非入光端面３４、３６、３８の表面粗さＲａは、好ましくは０．４μｍ以下であり、さらに好ましくは０．１μｍ以下である。なお、本明細書において、表面粗さＲａと記載した場合、ＪＩＳ  Ｂ  ０６０１〜ＪＩＳ  Ｂ  ００３１による算術平均粗さ（中心線平均粗さ）を指すものとする。
【００７５】
入光端面２８は、ガラス板１２であるガラスの製造時に研磨具によって研磨加工される。入光端面２８の表面粗さＲａは、光源１８からの光をガラス板１２の内部に有効に入光させるために０．１μｍ以下であり、好ましくは０．０３μｍ未満であり、さらに好ましくは０．００１μｍ以下であり、特に好ましくは０．０００５μｍ以下である。よって、光源１８からガラス板１２の内部に入光される光の入光効率が高められている。非入光端面３４、３６、３８の表面粗さＲａは、生産効率を向上させる観点から入光端面２８の表面粗さＲａよりも大きくしてもよい。
【００７６】
また、入光端面２８の研磨具による研磨時に、傾斜面４８がその研磨具によって入光端面２８とともに形成される。つまり、傾斜面４８は、入光端面２８の形成時に研磨具によって形成される垂れ面であり、その表面粗さＲａも入光端面２８と略等しいものである。
【００７７】
傾斜面４８は、入光端面２８の研磨加工終了後、入光端面２８を更に研磨することにより除去することができる。しかしながら、傾斜面４８をガラス板１２に残置することで、傾斜面４８の除去工程を省略できるため、効率的なガラス板１２の製造を可能とする。さらに、傾斜面４８を備えていない入光端面と比較して、光源の光の利用効率を高めるべく、その形状が設定されている。傾斜面４８の形状については後述する。
【００７８】
〈入光側面取り面４０、傾斜面４８〉
光出射面２６と入光端面２８との間に、光出射面２６に隣接する入光側面取り面４０と、入光側面取り面４０と入光端面２８との間に配置された傾斜面４８と、が備えられている。同様に、光反射面３２と入光端面２８との間に、光反射面３２に隣接する入光側面取り面４０と、入光側面取り面４０と入光端面２８との間に配置された傾斜面４８と、が備えられている。
【００７９】
実施形態では、光出射面２６側と光反射面３２側の双方に、入光側面取り面４０及び傾斜面４８を備えたものを例示しているが、いずれか一方にのみ入光側面取り面４０及び傾斜面４８を備えた構成としてもよい。また、入光側面取り面４０の表面粗さＲａは、０．１μｍ以下であることが好ましく、０．０５μｍ以下であることがより好ましく、０．０２９μｍ以下であることがさらに好ましい。入光側面取り面４０の表面粗さＲａを０．１μｍ以下とすることで、ガラス板１２から出射される光の輝度ムラの発生を抑制することができる。
【００８０】
なお、入光側面取り面４０及び傾斜面４８の形状及び作用、効果については、後述するガラス板１２の特徴の欄にて説明する。
【００８１】
実施形態のように薄型化が要求されている面状発光装置１４では、ガラス板１２の厚さも薄くする必要がある。このため、実施形態に係るガラス板１２の厚さは、例えば０．７〜３．０ｍｍである。ガラス板１２の厚さが３．０ｍｍ以下であることで、面状発光装置１４を薄くすることができ、０．７ｍｍ以上であることで、十分な剛性を得ることができる。なお、ガラス板１２の厚さは、この値に限定されるものではないが、この厚さであっても、厚さ４ｍｍ以上のアクリル製の導光板を有する面状発光装置と比較して、十分な強度を備えた面状発光装置１４を提供できる。
【００８２】
〔ガラス板１２の製造方法〕
図５、図６、図７は、ガラス板１２の製造方法を説明するための図である。図５は、ガラス板１２の製造方法を示す工程図である。図６は、ガラス素材４４の平面図であり、図７は、ガラス基材４６の平面図である。
【００８３】
ガラス板１２を製造するには、まず図６のガラス素材４４を用意する。ガラス素材の厚さは０．７〜３．０ｍｍであり、５０ｍｍ長での、波長４００〜７００ｎｍにおける平均内部透過率が９０％以上のものである。ガラス素材４４は、ガラス板１２の既定形状よりも大きい形状とされている。
【００８４】
〈切断工程〉
ガラス素材４４には、まず図５のステップ（Ｓ）１０で示す切断工程が実施される。切断工程（Ｓ１０）では、切削装置を用いて図６の破線で示す各位置（１箇所の入光端面側の位置と３箇所の非入光端面側の位置）において切断加工が実施される。なお、切断加工は必ずしも３箇所の非入光端面側の位置に対して実施されなくてもよく、１箇所の入光端面側の位置と対向する１箇所の非入光端面側の位置のみを切断加工してもよい。
【００８５】
切断加工を実施することにより、図６のガラス素材４４から図７のガラス基材４６が切り出される。なお、実施形態では、ガラス板１２が平面視で矩形状とされているため、１箇所の入光端面側の位置と３箇所の非入光端面側の位置に対して切断加工を実施したが、切断位置は、ガラス板１２の形状に応じて適宜選定される。
【００８６】
〈面取り工程〉
図５の如く、切断工程（Ｓ１０）が終了すると、面取り工程（Ｓ１２）が実施される。面取り工程（Ｓ１２）では、研削装置を用いて光出射面２６と入光端面２８との間、及び光反射面３２と入光端面２８との間を面取り加工する。これにより、入光側面取り面４０が形成される。また、面取り工程（Ｓ１２）では、光出射面２６と非入光端面３８との間、及び光反射面３２と非入光端面３８との間を面取り加工し、非入光側面取り面４２をそれぞれ形成する。
【００８７】
なお、光出射面２６と非入光端面３４との間、光反射面３２と非入光端面３４との間、光出射面２６と非入光端面３６との間、及び光反射面３２と非入光端面３６の間の全て、或いはいずれか一箇所に非入光側面取り面４２を形成する場合には、この面取り工程（Ｓ１２）において面取り加工を実施する。
【００８８】
面取り工程（Ｓ１２）においては、非入光端面３４、３６、３８に対し、研削処理又は研磨処理も実施される。非入光端面３４、３６、３８に対する研削処理又は研磨処理を実施する時期は、非入光側面取り面４２を形成する前段でも後段でもよく、同時に行うこととしてもよい。なお、非入光端面３４、３６については、切断加工を実施した面をそのまま非入光端面３４、３６として使用してもよい。
【００８９】
面取り工程（Ｓ１２）は、後述する研磨工程（Ｓ１４）と同時、もしくは研磨工程（Ｓ１４）の後段で行うこともできるが、研磨工程（Ｓ１４）の前段で行うことが好ましい。つまり、面取り工程（Ｓ１２）の後、研磨工程（Ｓ１４）を行うことが好ましい。これにより、ガラス板１２の形状に応じた加工を面取り工程（Ｓ１２）で比較的速いレートで実施することができるため生産性が向上する。
【００９０】
〈研磨工程〉
面取り工程（Ｓ１２）が終了すると、次に研磨工程（Ｓ１４）が実施される。研磨工程（Ｓ１４）では、図７に示すガラス基材４６の入光端面２８に対して鏡面加工が実施され、これによって好適には表面粗さＲａが０．１μｍ以下の入光端面２８と傾斜面４８とが形成される。
【００９１】
入光端面２８及び傾斜面４８を形成する際に使用する研磨具としては、砥石を用いてもよく、また砥石の他に、布、皮、ゴム等からなるバフやブラシ等を用いてもよく、その際、酸化セリウム、アルミナ、カーボランダム、コロイダルシリカ等の研磨剤を用いてもよい。中でも表面粗さを小さくする観点から、研磨具としてはバフと研磨剤を用いることが好ましい。
【００９２】
以上のＳ１０〜Ｓ１４に示す各工程を経ることにより、ガラス板１２が製造される。なお、反射ドット２４Ａ、２４Ｂ、２４Ｃは、ガラス板１２が製造された後に光反射面３２に対して印刷等の方法で形成される。
【００９３】
なお、ガラス板の製造方法においては、図８に示されるように研磨工程（Ｓ１４）の後に、（第１）面取り工程（Ｓ１２）で形成された入光側面取り面４０を再度面取り加工し、入光側面取り面４０’（不図示）を形成する（第２）面取り工程（Ｓ１６）を実施することもできる。これにより、入光側面取り面４０’が新たに形成されるとともに、研磨工程（Ｓ１４）で形成された傾斜面４８が失われる。
【００９４】
しかしながら、生産性向上の観点から、（第２）面取り工程（Ｓ１６）を実施せずに、（第１）面取り工程（Ｓ１２）で形成された入光側面取り面４０が保持されることがより好ましい。これにより、傾斜面４８も保持されるため、得られるガラス板の光源の光の利用効率も高められる。
【００９５】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００９６】
〔ガラス板１２及び面状発光装置１４の特徴〕
図１の如く、面状発光装置１４のガラス板１２として、光源１８の光量を有効利用するためには、入光端面２８からガラス板１２の内部に入射した光を、反射ドット２４Ａ〜Ｃが付与されていない状態において、外部に漏光させることなく、ガラス板１２の内面で繰り返し全反射させながら進行させることが要求される。
【００９７】
しかしながら、特許文献３に開示された、通常の形状の面取り面を有するガラス板では、面取り面からガラス板の内部に入射した光が、屈折により進行方向を大きく曲げられてしまうため、ガラス板内を導波することなく外部に漏光するという問題があった。このような漏光現象は、入光端面の近傍位置で多発することも確認された。つまり、従来のガラス板では、光源の光量を損失させることなく有効利用することができるものは存在していなかった。
【００９８】
そこで、本実施形態では、光源の光の利用効率の高い入光端面２８を、効率的に製造することができるガラス板１２の製造方法及びガラス板１２並びに面状発光装置１３を提供することを目的とする。
【００９９】
次に、図４に基づいて説明する。図４は、ガラス板１２の特徴を拡大して示した説明図であり、主平面である光出射面２６及び光反射面３２と、第１端面である入光端面２８とに対して垂直な断面図である。なお、符号ｔはガラス板１２の厚さを示している。
【０１００】
繰り返し説明するが、ガラス板１２は、光出射面２６及び光反射面３２を有し、光出射面２６及び光反射面３２に対して垂直な入光端面２８を有する。また、光出射面２６と入光端面２８との間に、光出射面２６に隣接する入光側面取り面４０と、入光側面取り面４０と入光端面２８との間に配置された傾斜面４８とが備えられている。なお、光反射面３２側の入光側面取り面４０及び傾斜面４８も同様の構成なので、光反射面３２側の入光側面取り面４０及び傾斜面４８の説明は省略する。
【０１０１】
実施形態のガラス板１２は、光出射面２６及び入光端面２８に対して垂直な断面において、入光側面取り面４０と光出射面２６とが交差する第１交差点Ｐ１と、入光側面取り面４０と傾斜面４８とが交差する第２交差点Ｐ２と、を結ぶ線分Ｌ１が、入光端面２８に対して所定の傾き角度θ１を持った入光側面取り面４０を備えている。傾き角度θ１は特に限定されないが、ガラスの破損を効果的に抑制するためにも、θ１は３０°〜６０°が好ましく、４０°〜５０°がより好ましい。
【０１０２】
更に、ガラス板１２は、光出射面２６及び入光端面２８に対して垂直な断面において、第２交差点Ｐ２と、傾斜面４８と入光端面２８とが交差する第３交差点Ｐ３と、を結ぶ線分Ｌ２の入光端面２８に対する傾き角度θ２が、傾き角度θ１よりも小さく、かつ０＜ｔａｎθ２≦０．４を満たす傾斜面４８を備えている。つまり、傾き角度θ１は、ｔａｎθ１＞ｔａｎθ２を満たしている。
【０１０３】
本願発明者は、ガラス板１２を効率的に製造するために、傾斜面４８を除去することなく入光端面２８側に残置した場合であっても、光源１８の光の利用効率の高いガラス板１２を見出した。
【０１０４】
すなわち、図４の如く、光出射面２６及び入光端面２８に対して垂直な断面において、第２交差点Ｐ２と第３交差点Ｐ３とを結ぶ線分Ｌ２の、入光端面２８に対する傾き角度θ２が、傾き角度θ１よりも小さく、かつ０＜ｔａｎθ２≦０．４を満たすガラス板１２を提供する。
【０１０５】
このような形状の傾斜面４８に、光源１８から光が照射されると、その光は傾斜面４８で乱反射されることなく、傾斜面４８からガラス板１２の内部に入射し、よって、実施形態では、効率的に製造されたガラス板１２であって、光源１８の光の利用効率の高い入光端面２８を備えたガラス板１２、及びガラス板１２を備えた面状発光装置１４を提供できる。
【０１０６】
なお、図４では、形状が直線状の入光側面取り面４０及び傾斜面４８を示したが、入光側面取り面４０及び傾斜面４８の表面形状は円弧状であるものも含む。その場合、図９のガラス板１２の要部拡大断面図の如く、光出射面２６及び入光端面２８に対して垂直な断面において、傾斜面４８が形成する円弧を均等に２分割する円弧上の点を点Ｐ５とし、点Ｐ５における上記円弧の接線Ｔ１の入光端面２８に対する傾き角度θ２が、０＜ｔａｎθ２≦０．４を満たす。また、光出射面２６及び入光端面２８に対して垂直な断面において、入光側面取り面４０が形成する円弧を均等に２分割する円弧上の点を点Ｐ６とし、点Ｐ６における上記円弧の接線Ｔ２の入光端面２８に対する傾き角度をθ１とすると、θ２はθ１よりも小さい。
【０１０７】
また、実施形態のガラス板１２は、入光端面２８及び傾斜面４８の表面粗さＲａを０．１μｍ以下であることが好ましい。これにより、光源１８からの光は入光端面２８及び傾斜面４８で散乱あるいは乱反射されることなく、ガラス板１２の内部に入射する。これにより、光源１８の光の利用効率を更に高めることができる。
【０１０８】
更に、実施形態のガラス板１２は、好適には、５０ｍｍ長での、波長４００〜７００ｎｍにおける平均内部透過率が９０％以上なので、内部透過率の高いガラス板１２となる。これにより、入射した光がガラス板１２の内部で減衰することを抑制し、光源１８の光の利用効率を一層高めることができる。
【０１０９】
更にまた、入光端面２８に沿って延長された第１延長線Ｌａと、第２交差点Ｐ２から光出射面２６と平行に延長された第２延長線Ｌｂとが交差する点を第４交差点Ｐ４とし、第３交差点Ｐ３から第４交差点Ｐ４までの長さＷ（傾斜面４８の幅）が０．０５〜０．４ｍｍであり、第２交差点Ｐ２から第４交差点Ｐ４までの長さＤ（傾斜面４８の奥行き）が０．００５〜０．０５ｍｍであることが好ましい。Ｗが０．０５〜０．４ｍｍでかつＤが０．００５〜０．０５ｍｍの場合、傾斜面４８による光源の光の利用効率向上の効果を十分表しつつも、入光側面取り面４０も十分に設けることができるため、ガラスの破損も十分に抑制できる。なお、ｔａｎθ２はD／Wと同値である。
【０１１０】
このような形状の傾斜面４８に、光源１８から光が照射されると、その光は傾斜面４８からガラス板１２の内部に入射するので、光源の光の利用効率の高い入光端面２８を備えたガラス板１２となる。
【０１１１】
〔実施例〕
本願発明者らは、上記ｔａｎθの範囲を見出すに当たり、光線追跡ソフト（Ｌｉｇｈｔ  Ｔｏｏｌｓ：サイバーネットシステム社製）を用いて、光線本数１００万本でシミュレーションを行った。本シミュレーションに用いたモデルでは、７００ｍｍ×７００ｍｍのサイズの、厚さ１．７ｍｍの、矩形のガラス板１２に対向するよう、入光端面２８から０．５ｍｍの距離を空けて、光源１８を配し、光源１８を取り囲むようにリフレクタ３０を配した。また、ガラス板１２は、面取り面４０および傾斜面４８を有し、傾斜面４８の傾斜角およびサイズは後述する通り、種々変化させてシミュレーションを行った。なお、面取り面４０の入光端面２８に対する傾き角度をθ１は５０°で固定とした。光源１８は並列された複数の点光源からなり、波長４００ｎｍ〜７００ｎｍの範囲で発光し、ランバーシアンの配光特性を持つものとした。リフレクタ３０はσ＝１５°のガウス反射特性を持ち、拡散反射率は９８％であるとした。ガラス板１２は光出射面２６、及び光反射面３２を有し、光反射面３２には反射ドットは形成されていないものとした。また、ガラス板１２と対向するよう、光反射面３２から０．１ｍｍの距離を空けて反射シート２０を配設した。反射シートは、σ＝１５°のガウス反射特性を持ち、拡散反射率は９８％であるとした。
【０１１２】
図１０（Ａ）、（Ｂ）は、厚さが１．７ｍｍのガラス板５０、１２の入光端面２８に光（Light）を照射した要部拡大説明図であり、（Ａ）は、入光側面取り面４０と入光端面２８とを備えた基準のガラス板５０であり、（Ｂ）は、入光側面取り面４０と傾斜面４８と入光端面２８とを備えた実施形態のガラス板１２である。
【０１１３】
図１１は、ガラス板５０の導波光の光量を１００％としたときの、ガラス板１２の導波光の光量の相対値を示した図である。すなわち、図１１の縦軸は、導波光の光量の相対値を示し、横軸は傾斜面４８の奥行きＤ（１０μｍ、２０μｍ、３０μｍ、３５μｍ、４０μｍ）を示している。
【０１１４】
また、図１１においては、奥行きＤに対して、傾斜面４８の幅Ｗを５０μｍとした場合の光量の相対値を中空の菱形（Ｍｉｄａｉｒ  ｒｈｏｍｂｕｓ：◇）印でプロットし、幅Ｗを１００μｍとした場合の光量の相対値を中空の正方形（Ｍｉｄａｉｒ  ｓｑｕａｒｅ：□）印でプロットし、幅Ｗを２００μｍとした場合の光量の相対値を中空の三角形（Ｍｉｄａｉｒ  ｔｒｉａｎｇｌｅ：△）印でプロットし、幅Ｗを３００μｍとした場合の光量の相対値をバツ（ｃｒｏｓｓ：×）印でプロットし、幅Ｗを３５０μｍとした場合の光量の相対値を中空の円形（Ｍｉｄａｉｒ  ｃｉｒｃｌｅ：○）印でプロットしている。なお、これらの光量は、シミュレーションによって算出されたものであり、その光量の検出点は、入光端面２８から非入光端面３８（図１参照）に向けて６９０ｍｍ離間した位置としている。なお、ガラス板１２を導光板として用いる場合、光をできるだけ多く、長距離にわたって導波させられるガラス板が、優れており、そのようなガラス板は、光反射面に反射ドットを形成することにより、より多くの光を光出射面から取り出すことができる。
【０１１５】
〈シミュレーション結果〉
Ｄ＝１０μｍの場合の光量は、Ｗ＝５０〜３５０μｍの全てのガラス板１２について、ｔａｎθ２＝０．０３〜０．２であり、０＜ｔａｎθ２≦０．４を満たしていることから、ガラス板５０の光量に対し０．２％向上した。
【０１１６】
Ｄ＝２０μｍの場合の光量は、Ｗ＝５０〜３５０μｍの全てのガラス板１２について、ｔａｎθ２＝０．０６〜０．４であり、０＜ｔａｎθ２≦０．４を満たしていることから、Ｗ＝５０μｍのガラス板１２を除くガラス板１２は、ガラス板５０の光量に対し０．３％向上した。また、Ｗ＝５０μｍのガラス板１２は、ガラス板５０の光量に対し０．１％向上したが、Ｄ＝１０μｍの場合と比較して０．１％減少した。
【０１１７】
Ｄ＝３０μｍの場合の光量は、Ｗ＝１００〜３５０μｍのガラス板１２について、ｔａｎθ２＝０．０９〜０．３であり、０＜ｔａｎθ２≦０．４を満たしていることから、Ｗ＝１００μｍのガラス板１２は、ガラス板５０の光量に対し０．３％向上し、Ｗ＝２００〜３５０μｍのガラス板１２は、ガラス板５０の光量に対し０．５％向上した。しかしながら、Ｗ＝５０μｍのガラス板１２は、ｔａｎθ２＝０．６であり、ｔａｎθ２≦０．４を満たしていないため、ガラス板５０の光量に対し０．１％減少した。
【０１１８】
Ｄ＝３５μｍの場合の光量は、Ｗ＝１００〜３５０μｍのガラス板１２について、ｔａｎθ２＝０．１〜０．３５であり、０＜ｔａｎθ２≦０．４を満たしていることから、Ｗ＝１００μｍのガラス板１２は、ガラス板５０の光量に対し０．２％向上し、Ｗ＝２００〜３５０μｍのガラス板１２は、ガラス板５０の光量に対し０．６％向上した。しかしながら、Ｗ＝５０μｍのガラス板１２は、ｔａｎθ２＝０．７であり、ｔａｎθ２≦０．４を満たしていないため、ガラス板５０の光量に対し０．１５％減少した。
【０１１９】
Ｄ＝４０μｍの場合の光量は、Ｗ＝１００〜３５０μｍのガラス板１２について、ｔａｎθ２＝０．１１〜０．４であり、０＜ｔａｎθ２≦０．４を満たしていることから、Ｗ＝１００μｍのガラス板１２は、ガラス板５０の光量に対し０．１％向上し、Ｗ＝２００μｍのガラス板１２は、ガラス板５０の光量に対し０．６％向上し、Ｗ＝３００〜３５０μｍのガラス板１２は、ガラス板５０の光量に対し０．７％向上した。しかしながら、Ｗ＝５０μｍのガラス板１２は、ｔａｎθ２＝０．８であり、ｔａｎθ２≦０．４を満たしていないため、ガラス板５０の光量に対し０．２％減少した。
【０１２０】
上記結果に基づき、０＜ｔａｎθ２≦０．４を満たすガラス板１２であれば、傾斜面４８を残置した場合であっても、基準のガラス板５０と比較して、導波光の光量を多くでき、光源１８の光の利用効率を高めることができる。
【符号の説明】
【０１２１】
１０…液晶表示装置、１２…ガラス板、１４…面状発光装置、１６…液晶パネル、１８…光源、２０…反射シート、２２…各種光学シート、２４Ａ、２４Ｂ、２４Ｃ…反射ドット、２６…光出射面、２８…入光端面、３０…リフレクタ、３２…光反射面、３４、３６、３８…非入光端面、４０…入光側面取り面、４２…非入光側面取り面、４４…ガラス素材、４６…ガラス基材、４８…傾斜面、５０…ガラス板
【図１】
2018145015.tif 000003
【図２】
2018145015.tif 000004
【図３】
2018145015.tif 000005
【図４】
2018145015.tif 000006
【図５】
2018145015.tif 000007
【図６】
2018145015.tif 000008
【図７】
2018145015.tif 000009
【図８】
2018145015.tif 000010
【図９】
2018145015.tif 000011
【図１０】
2018145015.tif 000012
【図１１】
2018145015.tif 000013